(57)【要約】      （修正有）【課題】画鋲に手を触れることなく、壁面に対し画鋲を打ち込むことができると共に、壁面からの画鋲の抜き取りも行うことができ、かつ、構造が複雑でなく構成部品点数を減少させ、製造コストを低減することができる画鋲ケースを提供する。【解決手段】手で握持可能なケース本体１２と、ケース本体の内部に多数の画鋲を収納しうるように形成された画鋲収納部１４と、画鋲を壁面に打ち込みうるようにケース本体の一端部に形成された画鋲打込部３５と、壁面に差し込まれた画鋲を抜き取りうるようにケース本体の他の端面に形成された画鋲除去部４３と、手で触れることなく画鋲を画鋲収納部から画鋲打込部へ移動させうる画鋲供給部１７とを有する。【選択図】図３
0003124233.tif 000002
【実用新案登録請求の範囲】
【請求項１】
手で握持可能なケース本体と、上記ケース本体の内部に多数の画鋲を収納しうるように形成された画鋲収納部と、画鋲を壁面に打ち込みうるように上記ケース本体の一端部に形成された画鋲打込部と、壁面に差し込まれた画鋲を抜き取りうるように上記ケース本体の他の端面に形成された画鋲除去部と、手で触れることなく画鋲を上記画鋲収納部から上記画鋲打込部へ移動させうる画鋲供給部とを有することを特徴とする画鋲ケース。
【請求項２】
上記ケース本体は、全体略直方体形状に形成され、上記ケース本体内部には長さ方向に沿ってケース本体を高さ方向に分割しうる隔壁が設けられ、
上記画鋲収納部は上記隔壁の下部に配置され、上記画鋲供給部は隔壁を介して上記画鋲収納部の上方に形成され、上記隔壁の後方には上記画鋲収納部と上記画鋲供給部とを連通させる連通開放部が設けられ、上記ケース本体には上記画鋲収納部へ画鋲を投入しうる画鋲投入口が設けられ、上記画鋲投入口には開閉可能な蓋が設けられていることを特徴とする請求項１記載の画鋲ケース。
【請求項３】
上記画鋲供給部は、画鋲の頭部を上記隔壁の上面に当接させて針部を起立させた状態で、複数個の画鋲を一列に縦列させうる画鋲整列部と、上記画鋲整列部へ画鋲を誘導する画鋲ガイド部と、上記画鋲整列部と上記画鋲ガイド部との間を遮断して、上記画鋲打込部に供給される画鋲を他の画鋲から隔離しうるロック部とが設けられていることを特徴とする請求項１又は２に記載された画鋲ケース。
【請求項４】
上記ロック部は、画鋲ガイド部と画鋲整列部との間に設けられ、上記隔壁との間に空隙部を有すると共に画鋲の針部が通過しうる上下方向スリットを有し、画鋲の頭部を上記隔壁の上面に当接させて針部を起立させた状態で通過させうるストッパ板と、上記上下方向スリットを開閉可能に閉止しうるスライド閉止部材とを有し、  
上記画鋲整列部は、上記隔壁の上方に、画鋲の頭部が隔壁上を通過しうる間隔を置いて長さ方向に配置されると共に、幅方向中間部に画鋲の針部が通過しうる長さ方向スリットを有し、画鋲を、頭部が上記隔壁に当接すると共に針部が上方を向くようにして整列させうる整列板を有していることを特徴とする請求項３記載の画鋲ケース。
【請求項５】
上記画鋲打込部は、上記ケース本体の長さ方向の一端部に開設され、上記長さ方向スリットの終端部に形成された画鋲排出孔と、上記画鋲排出孔の下方に設けられた画鋲固定部とを有し、
上記画鋲固定部は、上記長さ方向スリットから供給される画鋲の頭部を磁気的に吸着して、針部を上記ケース本体の長さ方向外方へ突出させた状態に画鋲を固定しうるマグネットと、上記画鋲排出孔から排出された画鋲を上記マグネットへガイドしうるガイド部とを有していることを特徴とする請求項１〜４のいずれか１項に記載された画鋲ケース。
【請求項６】
上記画鋲排出孔は、上記長さ方向スリットにより供給される姿勢のまま画鋲を排出しうるように側面逆Ｔ字状に形成され、
上記ガイド部は、上記画鋲排出孔の下端部を被覆して排出された画鋲の頭部の両端部を保持しうると共に、上記マグネットに画鋲が磁気的に固定された場合には、画鋲の両端部を保持することなく解放しうるガイド片を有し、
上記ガイド片は、可撓性を有する素材により形成され、画鋲固定部の幅方向において一対に設けられ、各ガイド片は、夫々、上端部の幅寸法よりも下端部の幅寸法の方が小さく形成されると共に、上端部から下端部にかけて湾曲し、画鋲固定部の外方へ突出して形成され、
上記画鋲排出孔から排出された画鋲は、上記一対のガイド片により頭部の両端部を保持された状態でガイド片に沿って略９０度反転し、針部が画鋲固定部外方へ、上記ケース本体長さ方向に沿って突出した状態でマグネットに磁気的に固定されるように構成されていることを特徴とする請求項５記載の画鋲ケース。
【請求項７】
上記画鋲除去部は、上記ケース本体において上記画鋲打込部の長さ方向反対側端部において、上記ケース本体の高さ方向に沿って、上面部から下面部に向かって長さ寸法が長くなるように湾曲形成された端部に形成され、画鋲の頭部を挿入しうる側面逆Ｔ字状開口部により形成され、
画鋲が打ち込まれた壁面と画鋲頭部との間に差し込みうるように形成された下端開口と、この下端開口に連続する針部係止スリットとを有し、
上記下端開口により打ち込まれた画鋲の頭部を保持して、上記針部係止スリットにより針部を保持し、上記ケース本体を把持して上記湾曲形成された端部の一部を支点として梃子の原理により画鋲を抜き取りうるように形成されていることを特徴とする請求項１〜７のいずれか１項に記載された画鋲ケース。
【考案の詳細な説明】
【技術分野】
【０００１】
本考案は画鋲ケースに係り、特に、画鋲に手を触れることなく、壁面に対し画鋲を打ち込むことができると共に、壁面からの画鋲の抜き取りも行うことができる画鋲ケースに関する。
【背景技術】
【０００２】
画鋲はケースに収納されて保管されていることが多い。そして、画鋲で紙片を壁面に止着して掲示する場合は、まず、ケースの蓋を開いて画鋲を指で摘むことにより取り出さねばならず、煩雑であった。この場合、画鋲の針部が指に刺さって怪我をするという危険がある。
次に、紙片を壁面にあてがい、画鋲の針先部を紙片及び壁面に僅かに差すことにより仮止めしてから、画鋲の頭部を指で押して、針部を深く壁面に差し込まねばならず、煩雑であった。この場合、壁面が硬いと、画鋲の頭部を指で強く押す必要があり、煩雑であった。
【０００３】
また、紙片を掲示する必要がなくなった場合は、画鋲を壁面から抜き取る必要があるがこの場合、画鋲の頭部を指で摘んで引き抜かねばならず、煩雑であった。また、画鋲の頭部が壁面に接触していると、上記頭部を指で摘みにくく、針部を壁面から引き抜くには強い力を必要とするので、画鋲の抜き取りを手作業で行うのは極めて煩雑である。また、引き抜いた画鋲を保管する場合は、画鋲を再びケースに投入しなければならず、これも煩雑であった。
【０００４】
従来、壁面に画鋲を打ち込むことができると共に、壁面からの画鋲の抜き取りも行うことができる各種の画鋲ケースが考案されている（特許文献１及び特許文献２参照）。
【０００５】
【特許文献１】特開平８−２２５０００号公報
【０００６】
【特許文献２】特開２００４−１１４６７２号公報
【０００７】
上記特許文献１所載の画鋲ケースは、ケースの蓋を開いて画鋲をケースから取り出し、ケースの外面部に設置された磁石に画鋲の頭部を吸着させた状態で上記ケースを壁面に強く押すことにより画鋲を壁面に打ち込めるように構成されている。したがって、画鋲をケースから取り出して磁石に吸着させる場合に、画鋲に手を触れる必要があって、上記のように、画鋲の針部が指に刺さって怪我をする可能性が残っている。
また、上記特許文献２所載の画鋲ケースは、回転移動機構等を設ける必要があり、構造が複雑で部品点数が多くなるため、製造が煩雑でコストが嵩む可能性がある。
【考案の開示】
【考案が解決しようとする課題】
【０００８】
そこで本考案の課題は、画鋲に手を触れることなく、壁面に対し画鋲を打ち込むことができると共に、壁面からの画鋲の抜き取りも行うことができ、かつ、構造が複雑でなく構成部品点数を減少させ、製造コストを低減することができる画鋲ケースを提供することにある。
【課題を解決するための手段】
【０００９】
上記課題を解決するために、本考案に係る画鋲ケースは、手で握持可能なケース本体と、上記ケース本体の内部に多数の画鋲を収納しうるように形成された画鋲収納部と、画鋲を壁面に打ち込みうるように上記ケース本体の一端部に形成された画鋲打込部と、壁面に差し込まれた画鋲を抜き取りうるように上記ケース本体の他の端面に形成された画鋲除去部と、手で触れることなく画鋲を上記画鋲収納部から上記画鋲打込部へ移動させうる画鋲供給部とを有することを特徴とする。
すなわち、本考案に係る画鋲ケースは、多数の画鋲を収納した画鋲収納部を有するケース本体を手で握持して使用することができる。そして、上記ケース本体の内部で、画鋲を上記画鋲収納部から上記画鋲供給部を経て上記画鋲打込部へ画鋲に手を触れることなく送ることができ、上記画鋲打込部でそのまま画鋲を壁面に打ち込むことができる。
【００１０】
また、本考案に係る上記画鋲ケースにあっては、上記ケース本体は、全体略直方体形状に形成され、上記ケース本体内部には長さ方向に沿ってケース本体を高さ方向に分割しうる隔壁が設けられ、上記画鋲収納部は上記隔壁の下部に配置され、上記画鋲供給部は隔壁を介して上記画鋲収納部の上方に形成され、上記隔壁の後方には上記画鋲収納部と上記画鋲供給部とを連通させる連通開放部が設けられ、上記ケース本体には上記画鋲収納部へ画鋲を投入しうる画鋲投入口が設けられ、上記画鋲投入口には開閉可能な蓋が設けられている。
すなわち、本考案に係る上記画鋲ケースは、上記画鋲供給部と上記画鋲収納部が上記隔壁により上下に分割されているが、画鋲は後方部位に形成された上記連通開放部を通して上記画鋲収納部から上記画鋲供給部へ移動させることができる。また、画鋲収納部へは上記蓋を開いて上記画鋲投入口から画鋲を投入することができる。
【００１１】
また、本考案に係る上記画鋲ケースにあっては、上記画鋲供給部は、画鋲の頭部を上記隔壁の上面に当接させて針部を起立させた状態で、複数個の画鋲を一列に縦列させうる画鋲整列部と、上記画鋲整列部へ画鋲を誘導する画鋲ガイド部と、上記画鋲整列部と上記画鋲ガイド部との間を遮断して、上記画鋲打込部に供給される画鋲を他の画鋲から隔離しうるロック部とが設けられている。
すなわち、本考案に係る上記画鋲ケースは、上記画鋲ガイド部から上記画鋲整列部へ画鋲を誘導することができ、その場合、画鋲は、頭部が上記隔壁の上面に当接し、針部は上方へ起立した姿勢になる。また、上記画鋲整列部では、画鋲は一列縦列状態となる。また、画鋲整列部から上記画鋲打込部に供給される画鋲の数を適正に保つために、上記ロック部が設けられて、上記画鋲ガイド部から画鋲整列部へ送られる画鋲数が規制されている。
【００１２】
また、本考案に係る上記画鋲ケースにあっては、上記ロック部は、画鋲ガイド部と画鋲整列部との間に設けられ、上記隔壁との間に空隙部を有すると共に画鋲の針部が通過しうる上下方向スリットを有し、画鋲の頭部を上記隔壁の上面に当接させて針部を起立させた状態で通過させうるストッパ板と、上記上下方向スリットを開閉可能に閉止しうるスライド閉止部材とを有し、上記画鋲打込部は、上記隔壁の上方に、画鋲の頭部が隔壁上を通過しうる間隔を置いて長さ方向に配置されると共に、幅方向中間部に画鋲の針部が通過しうる長さ方向スリットを有し、画鋲を、頭部が上記隔壁に当接すると共に針部が上方を向くようにして整列させうる整列板を有している。
すなわち、上記ロック部では、上記ストッパ板に設けられた上記上下方向スリットを上記スライド閉止部材により開閉することにより、画鋲の通過を可能又は不能として、画鋲の供給を調整することができる。また、上記画鋲整列部では、画鋲は、頭部が上記隔壁上に当接しながら上記隔壁と上記整列板との間を移動し、針部は上記整列板に設けられた上記長さ方向スリットを通過する状態で移動することができる。
【００１３】
また、本考案に係る上記画鋲ケースにあっては、上記画鋲打込部は、上記ケース本体の長さ方向の一端部に開設され、上記長さ方向スリットの終端部に形成された画鋲排出孔と、上記画鋲排出孔の下方に設けられた画鋲固定部とを有し、上記画鋲固定部は、上記長さ方向スリットから供給される画鋲の頭部を磁気的に吸着して、針部を上記ケース本体の長さ方向外方へ突出させた状態に画鋲を固定しうるマグネットと、上記画鋲排出孔から排出された画鋲を上記マグネットへガイドしうるガイド部とを有している。
すなわち、上記画鋲打込部では、画鋲は、上記画鋲排出孔から排出された後、上記ガイド部によりガイドされながら、画鋲固定部として設けられた上記マグネットに画鋲の頭部を吸着させて、画鋲の針部を上記ケース本体の長さ方向外方へ突出させた状態で固定される。
【００１４】
また、本考案に係る上記画鋲ケースにあっては、上記画鋲排出孔は、上記長さ方向スリットにより供給される姿勢のまま画鋲を排出しうるように側面逆Ｔ字状に形成され、上記ガイド部は、上記画鋲排出孔の下端部を被覆して排出された画鋲の頭部の両端部を保持しうると共に、上記マグネットに画鋲が磁気的に固定された場合には、画鋲の両端部を保持することなく解放しうるガイド片を有し、上記ガイド片は、可撓性を有する素材により形成され、画鋲固定部の幅方向において一対に設けられ、各ガイド片は、夫々、上端部の幅寸法よりも下端部の幅寸法の方が小さく形成されると共に、上端部から下端部にかけて湾曲し、画鋲固定部の外方へ突出して形成され、上記画鋲排出孔から排出された画鋲は、上記一対のガイド片により頭部の両端部を保持された状態でガイド片に沿って略９０度反転し、針部が画鋲固定部外方へ、上記ケース本体長さ方向に沿って突出した状態でマグネットに磁気的に固定されるように構成されている。
すなわち、画鋲は、側面逆Ｔ字状の上記画鋲排出孔により針部が上方へ突出した姿勢でケース本体から排出され、その後、略９０度反転して、上記ガイド部の一対のガイド片により、画鋲の頭部の両端部を保持されながら、針部をガイド片の間から外方へ突出させた姿勢でマグネットまで送られ、マグネットにより吸着されて固定する。そして、画鋲は、マグネットにより固定された状態で上記ガイド片から解放されるので、画鋲固定部を壁面に押し付ければ、壁面へ突き刺されることになる。その場合、上記ガイド片は可撓性を有する素材により形成されているので、画鋲固定部を壁面に押し付けた際に潰れることから固定作業の邪魔になることはない。
【００１５】
また、本考案に係る上記画鋲ケースにあっては、上記画鋲除去部は、上記ケース本体において上記画鋲打込部の長さ方向反対側端部において、上記ケース本体の高さ方向に沿って、上面部から下面部に向かって長さ寸法が長くなるように湾曲形成された端部に形成され、画鋲の頭部を挿入しうる側面逆Ｔ字状開口部により形成され、画鋲が打ち込まれた壁面と画鋲頭部との間に差し込みうるように形成された下端開口と、この下端開口に連続する針部係止スリットとを有し、上記下端開口により打ち込まれた画鋲の頭部を保持して、上記針部係止スリットにより針部を保持し、上記ケース本体を把持して上記湾曲形成された端部の一部を支点として梃子の原理により画鋲を抜き取りうるように形成されている。
すなわち、上記画鋲除去部では、壁面に打ち込まれた画鋲を抜き取る場合に、上記側面逆Ｔ字状開口部における下端開口に画鋲頭部を差し込むと共に、上記針部係止スリットに針部を挿通させた状態にし、上記ケース本体の上記湾曲形成された端部の一部を壁面に接触させ、同所を支点としてケース本体を回転させる。これにより、梃子の原理により画鋲を壁面から容易に抜き取ることができる。
【考案の効果】
【００１６】
請求項１記載の本考案に係る画鋲ケースは、ケース本体を手で握持して、上記画鋲打込部により画鋲を壁面に打ち込む作業と、上記画鋲除去部により壁面から画鋲を抜き取る作業とを、強い力を必要とせずに容易に行うことができる。
また、上記画鋲収納部に多数の画鋲を保管できるので、画鋲を補給する煩雑さがなく、上記画鋲打込部へ画鋲を連続的に送って複数の画鋲の打込作業を連続的に行うことができる。
また、画鋲を上記画鋲収納部から上記画鋲打込部へ画鋲に手を触れることなく移動させることができるので、画鋲をケースから取り出す煩雑さや、画鋲を画鋲打込部に配置する煩雑さが解消され、又、画鋲の針部が手に刺さって怪我をする危険も解消することができる。また、複雑な機構が不要で、構造が複雑ではないので、部品点数が少なく、製造容易で、安価に製造することができる。
【００１７】
請求項２記載の本考案に係る画鋲ケースは、上記ケース本体を上下反転させることにより、画鋲を上記画鋲収納部から上記連通開放部を通して上記画鋲供給部へ容易に移動させることができる。
また、上記画鋲供給部と上記画鋲収納部は上記隔壁により隔離されるので、必要な画鋲だけ他の画鋲から分離して上記画鋲供給部へ位置させることができる。したがって、多数の画鋲が上記画鋲供給部へ流入して混雑する状態を回避することができ、上記画鋲供給部から上記画鋲打込部へ画鋲を整理して供給することができる。
また、上記画鋲収納部に収納されている画鋲が減少した場合は、上記蓋を開いて上記画鋲投入口から上記画鋲収納部へ画鋲を容易に補給することができる。
【００１８】
請求項３記載の本考案に係る画鋲ケースは、上記画鋲ガイド部から上記画鋲整列部へ画鋲をスムースに誘導することができる。
また、上記ロック部で上記画鋲ガイド部から上記画鋲整列部へ送る画鋲の数を規制することができるので、画鋲整列部に過剰に画鋲が送られるのを防止することができる。
また、上記画鋲整列部で複数個の画鋲を一列に縦列させることができるので、複数個の画鋲がまとめて画鋲打込部へ送られてしまうのを防止することができる。
また、上記画鋲整列部では、画鋲の頭部を上記隔壁の上面に当接させて針部を起立させた状態で整列させるので、画鋲打込部での画鋲の姿勢にスムースに移行することができる。
したがって、画鋲を滞ることなく画鋲打込部へスムースに供給することができる。
【００１９】
請求項４記載の本考案に係る画鋲ケースは、上記ロック部において、上記スライド閉止部材を上記ストッパ板に対しスライドさせることにより、上記ストッパ板に形成された上下方向スリットを容易に開閉することができる。したがって、上記ロック部において上記上下方向スリットを閉じることにより、画鋲の針部が上下方向スリットを通過できないようにして、画鋲の供給を停止することにより、上記画鋲整列部に送られる画鋲の数を容易に規制することができる。
また、上記画鋲整列部では、上記隔壁の上方に、画鋲の頭部が隔壁上を通過しうる間隔を置いて長さ方向に整列板が配置され、上記整列板の幅方向中間部に設けられた長さ方向スリットを画鋲の針部が通過するようにしたので、画鋲の送り姿勢、すなわち、頭部が上記隔壁に当接すると共に針部が上方を向く姿勢が確実に維持され、画鋲の姿勢が安定して画鋲の供給が安定する。
【００２０】
請求項５記載の本考案に係る画鋲ケースは、上記画鋲打込部において、上記画鋲排出孔から排出された画鋲は、上記ガイド部によりガイドされながら上記マグネットへ送られるので、途中で画鋲が落下するような不具合がなく、画鋲を確実に画鋲固定部であるマグネットへ送ることができる。
また、画鋲固定部において、画鋲は上記マグネットに頭部が吸着されて確実に固定されるので、上記画鋲打込部により画鋲を壁面に対し容易に打ち込むことができる。
また、画鋲固定部において、画鋲は針部を上記ケース本体の長さ方向外方へ突出させた状態に固定されるので、画鋲の姿勢を修正するような煩雑がなく、そのまま画鋲の打ち込みが可能で、画鋲の打ち込み作業が簡便である。
【００２１】
請求項６記載の本考案に係る画鋲ケースにあっては、上記画鋲排出孔は、上記長さ方向スリットにより供給される姿勢のまま画鋲を排出しうるように側面逆Ｔ字状に形成されていることから、排出時に画鋲の姿勢を変える煩雑がない。
また、上記ガイド部は、上記画鋲排出孔の下端部を被覆して、排出された画鋲の頭部の両端部を、画鋲が上記マグネットに固定されるまで保持しうるので、画鋲が固定される前に落下するのを防止することができる。
また、上記ガイド片は、上記マグネットに画鋲が磁気的に固定された場合には、画鋲の両端部を保持することなく解放しうるので、固定された画鋲が次に打ち込まれる場合に、上記ガイド片は邪魔にならない。特に、上記ガイド片は、画鋲固定部の幅方向において一対に設けられ、各ガイド片は、夫々、上端部の幅寸法よりも下端部の幅寸法の方が小さく形成されているので、画鋲は下方へ移動することにより上記ガイド片から解放され、画鋲をガイド片から脱出させる煩雑がない。
また、画鋲は、上記一対のガイド片により頭部の両端部を保持された状態でガイド片に沿って略９０度反転し、針部が画鋲固定部外方へ、上記ケース本体長さ方向に沿って突出した状態になり、画鋲は上記ガイド片により打ち込み可能な姿勢にされることから、使用者が画鋲の姿勢を修正する煩雑さを回避することができる。
また、上記ガイド片は、上端部から下端部にかけて湾曲し、画鋲固定部の外方へ突出して形成されているので、画鋲を無理なく略９０度反転させて画鋲固定部に固定することができる。
また、上記ガイド片は、可撓性を有する素材により形成され、上記画鋲打込部を壁面に押し付けて画鋲を打ち込む場合に、上記ガイド片は扁平に潰れるので、画鋲の打ち込みに邪魔にならない。
【００２２】
請求項７記載の本考案に係る画鋲ケースは、上記ケース本体において上記画鋲打込部の長さ方向反対側端部に設けられた上記画鋲除去部において、上記側面逆Ｔ字状開口部の上記下端開口に、壁面に打ち込まれた画鋲頭部を差し込んで保持すると共に、上記針部係止スリットに画鋲針部を通過させて保持した状態で、上記ケース本体の上記湾曲形成された端部の一部を壁面に接触させ、同接触箇所を支点としてケース本体を回転させることにより、梃子の原理により、力の弱い子供でも画鋲を壁面から容易に抜き取ることができる。
【考案を実施するための最良の形態】
【００２３】
以下、図面を用いて本考案の実施の形態について説明する。
本実施の形態に係る画鋲ケース１１は、図１乃至図３に示すように、手で握持可能なケース本体１２と、上記ケース本体１２の内部に多数の画鋲１３を収納しうるように形成された画鋲収納部１４と、画鋲１３を壁面に打ち込みうるように上記ケース本体１２の一端部に形成された画鋲打込部３５と、壁面に差し込まれた画鋲１３を抜き取りうるように上記ケース本体１２の他の端面に形成された画鋲除去部４３と、手で触れることなく画鋲１３を上記画鋲収納部１４から上記画鋲打込部３５へ移動させうる画鋲供給部１７とを有している。
上記ケース本体１２は、全体略直方体形状に形成され、図３に示すように、上記ケース本体１２内部には長さ方向に沿ってケース本体１２を高さ方向に分割しうる隔壁１５が設けられ、上記画鋲収納部１４は上記隔壁１５の下部に配置され、上記画鋲供給部１７は隔壁１５を介して上記画鋲収納部１４の上方に形成され、上記隔壁１５の後方には上記画鋲収納部１４と上記画鋲供給部１７とを連通させる連通開放部１８が設けられ、上記ケース本体１２には上記画鋲収納部１４へ画鋲１３を投入しうる画鋲投入口２０が設けられ、上記画鋲投入口２０には開閉可能な蓋２１が設けられている。
上記画鋲供給部１７は、図３乃至図５に示すように、画鋲１３の頭部２２を上記隔壁１５の上面に当接させて針部２３を起立させた状態で、複数個の画鋲１３を一列に縦列させうる画鋲整列部２６と、上記画鋲整列部２６へ画鋲１３を誘導する画鋲ガイド部２４と、上記画鋲整列部２６と上記画鋲ガイド部２４との間を遮断して、上記画鋲打込部３５に供給される画鋲１３を他の画鋲１３から隔離しうるロック部２５とが設けられている。
上記ロック部２５は、図３及び図４に示すように、画鋲ガイド部２４と画鋲整列部２６との間に設けられ、上記隔壁１５との間に空隙部３０を有すると共に画鋲１３の針部２３が通過しうる上下方向スリット３１を有し、画鋲１３の頭部２２を上記隔壁１５の上面に当接させて針部２３を起立させた状態で通過させうるストッパ板５２と、上記上下方向スリット３１を開閉可能に閉止しうるスライド閉止部材３２とを有し、上記画鋲整列部２６は、上記隔壁１５の上方に、画鋲１３の頭部２２が隔壁１５上を通過しうる間隔を置いて長さ方向に配置されると共に、幅方向中間部に画鋲１３の針部２３が通過しうる長さ方向スリット２８を有し、画鋲１３を、頭部２２が上記隔壁１５に当接すると共に針部２３が上方を向くようにして整列させうる整列板２７を有している。
【００２４】
また、図１、図３及び図４に示すように、上記画鋲打込部３５は、上記ケース本体１２の長さ方向の一端部に開設され、上記長さ方向スリット２８の終端部に形成された画鋲排出孔３７と、上記画鋲排出孔３７の下方に設けられた画鋲固定部５３とを有し、上記画鋲固定部５３は、上記長さ方向スリット２８から供給される画鋲１３の頭部２２を磁気的に吸着して、針部２３を上記ケース本体１２の長さ方向外方へ突出させた状態に画鋲１３を固定しうるマグネット３６と、上記画鋲排出孔３７から排出された画鋲１３を上記マグネット３６へガイドしうるガイド部３８とを有している。
また、上記画鋲排出孔３７は、上記長さ方向スリット２８により供給される姿勢のまま画鋲１３を排出しうるように側面逆Ｔ字状に形成され、上記ガイド部３８は、上記画鋲排出孔３７の下端部を被覆して排出された画鋲２３の頭部２２の両端部を保持しうると共に、上記マグネット３６に画鋲１３が磁気的に固定された場合には、画鋲１３の両端部を保持することなく解放しうるガイド片３９を有し、上記ガイド片３９は、可撓性を有する素材により形成され、画鋲固定部５３の幅方向において一対に設けられ、各ガイド片３９は、夫々、上端部の幅寸法よりも下端部の幅寸法の方が小さく形成されると共に、上端部から下端部にかけて湾曲し、画鋲固定部５３の外方へ突出して形成され、上記画鋲排出孔３７から排出された画鋲１３は、上記一対のガイド片３９により頭部２２の両端部を保持された状態でガイド片３９に沿って略９０度反転し、針部２３が画鋲固定部５３外方へ、上記ケース本体１２長さ方向に沿って突出した状態でマグネット３６に磁気的に固定されるように構成されている。
【００２５】
また、上記画鋲除去部４３は、図２及び図３に示すように、上記ケース本体１２において上記画鋲打込部３５の長さ方向反対側端部において、上記ケース本体１２の高さ方向に沿って、上面部１９から下面部１６に向かって長さ寸法が長くなるように湾曲形成された端部に形成され、画鋲１３の頭部２２を挿入しうる側面逆Ｔ字状開口部４０により形成され、画鋲１３が打ち込まれた壁面と画鋲頭部２２との間に差し込みうるように形成された下端開口４４と、この下端開口４４に連続する針部係止スリット４１とを有し、上記下端開口４４により打ち込まれた画鋲１３の頭部２２を保持して、上記針部係止スリット４１により針部２３を保持し、上記ケース本体１２を把持して上記湾曲形成された端部の一部を支点として梃子の原理により画鋲１３を抜き取りうるように形成されている。
【実施例１】
【００２６】
図は本考案の実施例に係る画鋲ケース１１を示したものである。
上記画鋲ケース１１は、プラスチックで成形され、図１に示すように、手で握持可能なサイズで、縦長のケース本体１２を有している。
上記ケース本体１２の内部には、図３に示すように、多数の画鋲１３を収納しうるように形成された画鋲収納部１４が形成されている。
上記ケース本体１２の内部には、内部空間を上下に２分割する隔壁１５が底面１６に略平行に配置されており、上記隔壁１５より下方の空間が上記画鋲収納部１４として形成されている。なお、上記隔壁１５の後端部は下方へ湾曲している。
【００２７】
上記ケース本体１２の内部には、図３に示すように、上記画鋲供給部１７が上記隔壁１５の上方に形成されている。
すなわち、上記画鋲収納部１４は上記ケース本体１２の下部に配置され、上記画鋲供給部１７は上記隔壁１５を介して上記画鋲収納部１４の上方に配置されている。
上記隔壁１５の後方には、図３に示すように、上記画鋲収納部１４と上記画鋲供給部１７とを連通させる連通開放部１８が設けられている。
したがって、上記画鋲収納部１４に収納された画鋲１３は上記連通開放部１８から上記画鋲供給部１７へ移動することができる。移動させるには上記ケース本体１２を上下反転させればよい。
上記ケース本体１２の上面１９における後端部には、図３に示すように、画鋲投入口２０が設けられ、開閉可能な蓋２１が付設されている。
したがって、上記蓋２１を開いて画鋲投入口２０へ画鋲１３を投入すると、画鋲１３は上記連通開放部１８を通過して上記画鋲収納部１４へ落下する。
【００２８】
上記画鋲供給部１７は、図３に示すように、上記隔壁１５の上面を画鋲１３が後方から前方へスライドしうるように形成されている。すなわち、画鋲１３は円板状の頭部２２と針部２３とにより形成されているが、上記頭部２２が上記隔壁１５の上面に接触し、上記針部２３が起立した姿勢でスライドする。
上記画鋲供給部１７は、図３に示すように、画鋲ガイド部２４と、ロック部２５と、画鋲整列部２６とにより構成され、上記画鋲ガイド部２４は上記画鋲整列部２６の後方に配置され、上記ロック部２５は上記画鋲整列部２６と上記画鋲ガイド部２４の間に配置されている。
【００２９】
上記隔壁１５の上方には、図３に示すように、上記隔壁１５と平行に、画鋲１３の頭部２２が隔壁２５上を通過しうる間隔を置いて、長さ方向に整列板２７が配置されている。また、上記整列板２７における幅方向中間部には、図４に示すように、画鋲１３の針部２３が通過しうる長さ方向スリット２８が形成されている。上記整列板２７は、画鋲１３を、頭部２２が上記隔壁１５に当接すると共に、針部２３が上方を向くようにして整列させることができる。
上記長さ方向スリット２８は、上記画鋲ガイド部２４まで続いており、上記長さ方向スリット２８の後端部に、テーパ状開口部２９が設けられている。
上記隔壁１５と上記整列板２７との間の空隙部３０は、図３及び図５に示すように、画鋲１３の頭部２２が通過しうるように、画鋲１の頭部２２の肉厚より僅かに広く形成されている。
また、上記長さ方向スリット２８は、画鋲１３の針部２３が１本づつ通過しうるように、幅が上記画鋲１３の針部２３の直径より僅かに広く形成されている。
【００３０】
画鋲１３を上記隔壁１５の上面に載せて、上記ケース本体１２を揺動させると、画鋲１３は最終的に最も安定した姿勢をとる。即ち、頭部２２が上記隔壁１５の上面に接触し、針部２３が起立した姿勢になる。
次に、上記ケース本体１２の前端部を低くして上記隔壁１５を傾斜させることにより画鋲１３を前方へ滑らせると、画鋲１３は上記頭部２２が上記空隙部３０に侵入すると共に、上記針部２３が上記テーパ状開口部２９に誘導されて上記長さ方向スリット２８に侵入する。これにより、画鋲１３は上記長さ方向スリット２８内において縦列状態になる。
画鋲１３が、上記の姿勢で、即ち、頭部２２が上記隔壁１５の上面に接触し、針部２３が起立した姿勢で、上記隔壁１５の上面を滑って前進すると、上記画鋲整列部２６と上記画鋲ガイド部２４との間に配置された上記ロック部２５に到達する。
上記ロック部２５には、図３乃至図５に示すように、上記整列板２７の上方にストッパ板５２が設けられている。上記ストッパ板５２は、上記隔壁１５との間に上記空隙部３０を連続的に有すると共に、画鋲１３の針部が通過しうる上下方向スリット３１を有している。
【００３１】
また、上記ロック部２５には、図３乃至図５に示すように、上記ストッパ板５２に対し幅方向へスライド可能にスライド閉止部材３２が組み付けられている。上記スライド閉止部材３２は、上記ストッパ板５２における上記上下方向スリット３１を開閉可能に閉止することができる。
すなわち、上記スライド閉止部材３２にも、上記上下方向スリット３１と同様の上下方向スリット３３が形成されていて、その上下方向スリット３３の位置を上記ストッパ板５２の上下方向スリット３１の位置に一致させると、上記上下方向スリット３１は開いて画鋲１３の針部２３が通過可能となり、一致しない位置に移動させれば、上記上下方向スリット３１は閉じて画鋲１３の針部２３が通過不能となる。
【００３２】
上記スライド閉止部材３２の上端には、図１に示すように、操作突部４８が設けられている。上記操作突部４８は上記ケース本体１２の上面１９に露出している。上記上面１９には凸部４９形成され、上記凸部４９には幅方向の溝部５０が設けられ、上記操作ボタン４８は上記溝部５０にスライド可能に配置されている。
上記スライド閉止部材３２は、上記操作ボタン４８を操作することにより、上記ケース本体１２の幅方向にスライドすることができる。
上記スライド閉止部材３２は、ケース本体12の後端部を持ち上げて画鋲１３の排出動作を行った場合には、多数の画鋲１３が後述する画鋲打込部３５に殺到するのを防止するためのもので、上記スライド閉止部材３２から上記画鋲打込部３５までの間に位置する画鋲１３を少数（例えば四個程度）に制限することができる。
【００３３】
上記ケース本体１２の前端面３４には、図１及び図３に示すように、画鋲打込部３５が設けられている。上記前端面３４には、上記長さ方向スリット２８の終端部として画鋲排出孔３７が形成されている。上記画鋲排出孔３７は、上記長さ方向スリット２８により供給される姿勢のまま画鋲１３を排出しうるように側面逆Ｔ字状に形成されている。
この画鋲排出孔３７に対向する部位にはケース本体１２の前端部
方向に向かって下方に湾曲する湾曲部５４が形成されている。
上記画鋲排出孔３７の下方には画鋲固定部５３が設けられている。上記画鋲固定部５３には、上記画鋲排出孔３７から排出された画鋲１３の頭部２２を磁気的に吸着して、針部２３を上記ケース本体１２の長さ方向外方へ突出させた状態に画鋲１３を固定しうるマグネット３６が設けられている。
上記画鋲排出孔３７と上記マグネット３６の間には、上記画鋲排出孔３７から排出された画鋲１３を上記マグネット３６へガイドしうるガイド部３８が設けられている。
上記ガイド部３８は、上記画鋲排出孔３７の下端部を被覆して、排出された画鋲１３の頭部２２の両端部を保持しうると共に、上記マグネット３６に画鋲１３が磁気的に固定された場合には、画鋲１３の頭部２２の両端部を保持することなく解放しうるガイド片３９により構成されている。
上記ガイド片３９は、可撓性を有するプラスチック素材により形成され、画鋲固定部５３の幅方向において一対に設けられている。
上記各ガイド片３９は、夫々、上端部の幅寸法よりも下端部の幅寸法の方が小さく形成されると共に、上端部から下端部にかけて湾曲し、画鋲固定部５３の外方へ突出して形成されている。
【００３４】
上記画鋲排出孔３７から排出された画鋲１３は、上記湾曲部５４に沿いつつ上記一対のガイド片３９により頭部２２の両端部を保持された状態でガイド片３９に沿って略９０度反転し、針部２３が画鋲固定部５３外方へ、上記ケース本体１２長さ方向に沿って突出した状態でマグネット３６に磁気的に固定される。
この画鋲１３の固定状態で、上記ケース本体１２を手で握持し、紙片をあてがった、画鋲１３が刺さりうる壁面に上記ケース本体１２の上記前端面３４を用いて画鋲１３を刺突した場合には、上記画鋲１３の針部２３が紙片を貫通して壁面に突き刺さる。
なお、壁面に上記ケース本体１２の上記前端面３４を打ち当てる際に、上記ガイド片３９は容易に圧潰した状態になり、邪魔にならないので、壁面に対し画鋲１３…を支障なく突き刺すことができる。
【００３５】
上記ケース本体１２の後端部は、図２及び図３に示すように、上記ケース本体１２の高さ方向に沿って、上面部１９から下面部１６に向かって長さ寸法が長くなるように湾曲形成されている。すなわち、上記ケース本体１２の後端面４２は湾曲している。
上記ケース本体１２における後端面４２の下部には、上記画鋲除去部４３が設けられている。上記画鋲除去部４３は、側面逆Ｔ字状開口部４０により形成され、画鋲１３の頭部２２を挿入しうる横長の下端開口４４と、この下端開口４４に連続するように形成されて画鋲１３の針部２３が貫通可能な針部係止スリット４１とを有している。なお、上記針部係止スリット４１の入口には、抜止突起４５が両側に設けられている。
上記画鋲除去部４３は、壁面に打ち込まれた画鋲１３の頭部２２を上記下端開口４４に挿入して保持すると共に、画鋲１３の針部２３を上記針部係止スリット４１に挿入して保持した状態で、ケース本体１２の上記湾曲した後端面４２を壁面に接触させて支点とし、上記ケース本体１２を回転させることにより、梃子の原理で上記画鋲除去部４３を壁面から離間させることにより画鋲１３を壁面から抜き取ることができる。
【００３６】
以下、上記実施例の作用について説明する。
画鋲１３は、上記蓋２１を開いて上記画鋲投入口２０から上記ケース本体１２の内部へ投入することにより、多数個を上記画鋲収納部１４に収納して保管することができる。
壁面に対し紙片等を止着する場合は、まず、上記ケース本体１２を上下反転させて、画鋲１３を上記画鋲収納部１４から上記画鋲供給部１７へ移し、上記隔壁１５の上面に載せる。
上記隔壁１５の上面に載った画鋲１３は様々な姿勢を有しているが、上記ケース本体１２を揺すると、最も安定的な姿勢、即ち、画鋲１３の頭部２２が上記隔壁１５の上面に接触し、上記針部２３が起立した姿勢になる。この姿勢で画鋲１３を上記隔壁１５の上面に沿って前方へスライドさせると、画鋲１３は、上記画鋲ガイド部２４により上記画鋲整列部２６に誘導され、縦列状態となる。
上記画鋲整列部２６では、画鋲１３は、上記頭部２２が上記空隙部３０に挿入し、上記針部２３が上記整列板２７に形成された上記長さ方向スリット２８を貫通するので、画鋲１３は、上記針部２３が上向きに起立したまま、傾倒することなく、上記頭部２２が上記隔壁１５の上面をスライドしていく。
また、上記画鋲整列部２６には、途中箇所に上記ロック部２５が配置されているので、画鋲１３は必要な数だけ画鋲打込部３５へ送ることができる。
上記画鋲吐出口３７から上記ケース本体１２の前方へ吐出された画鋲１３は、上記湾曲部５４に沿いつつ上記ガイド片３９にガイドされ、即ち、上記針部２３が前方へ突出した姿勢をとって、上記頭部２２を上記マグネット３６に吸着させる。
画鋲１３は上記姿勢で固定されるので、上記ケース本体１２を手で握持し、紙片をあてがった壁面に上記ケース本体１２の上記前端面３４を打ち当てれば、上記画鋲１３の針部２３を紙片と共に壁面に突き刺すことができる。
したがって、画鋲１３に手に触れることなく、上記画鋲収納部１４から上記画鋲供給部１７を経て上記画鋲打込部３５へ画鋲１３を支障無く送り、画鋲１３を壁面に打ち込むことができる。
【００３７】
壁面に突き刺された画鋲１３を抜き取る場合は、上記ケース本体１２の後端面４２に形成された上記画鋲除去部４３を使用する。即ち、上記画鋲除去部４３に形成された上記下端開口４４に画鋲１３の頭部２２を挿入して保持すると共に、上記針部係止スリット４１に画鋲１３の針部２３を挿入して保持した状態で、上記ケース本体１２の湾曲した後端面４２を壁面に接触させて上記ケース本体１２を回転させる。
ことにより、梃子の原理で、上記上記画鋲除去部４３を壁面から離間させることにより画鋲１３を壁面から容易に抜き取ることができる。
抜き取られた画鋲１３は外に落下することなく、上記ケース本体１２の内部に形成された上記画鋲収納部１４に収納される。したがって、この場合も画鋲１３に手を触れることがないので、画鋲１３の針部２３が指に刺さって傷を負う危険がない。
【産業上の利用可能性】
【００３８】
本考案は、画鋲を保管するケース、画鋲を壁面に突き刺すための用具、画鋲を壁面から抜き取るための用具に夫々適用可能である。
【図面の簡単な説明】
【００３９】
【図１】本考案の実施例に係る画鋲ケースの全体斜視図である。
【図２】本考案の実施例に係る画鋲ケース後端部の一部斜視図である。
【図３】本考案の実施例に係る画鋲ケースの中央部縦断面図である。
【図４】図３のＡ−Ａ線に沿う断面図である。
【図５】図３のＢ−Ｂ線に沿う断面図である。
【符号の説明】
【００４０】
１１  画鋲ケース
１２  ケース本体
１３  画鋲
１４  画鋲収納部
１５  隔壁
１６  下面部
１７  画鋲供給部
１８  連通開放部
１９  上面部
２０  画鋲投入口
２１  蓋
２２  画鋲の頭部
２３  画鋲の針部
２４  画鋲ガイド部
２５  ロック部
２６  画鋲整列部
２７  整列板
２８  長さ方向スリット
２９  テーパ状開口部
３０  空隙部
３１  上下方向スリット
３２  スライド閉止部材
３３  上下方向スリット
３４  前端面
３５  画鋲打込部
３６  マグネット
３７  画鋲吐出孔
３８  ガイド部
３９  ガイド片
４０  スリット側面逆Ｔ字状開口部
４１  針部係止スリット
４２  後端面
４３  画鋲除去部
４４  下端開口
４５  抜止突起
４８  操作ボタン
４９  凸部
５０  溝部
５２  ストッパ板
５３  画鋲固定部
５４  湾曲部
【図１】
0003124233.tif 000003
【図２】
0003124233.tif 000004
【図３】
0003124233.tif 000005
【図４】
0003124233.tif 000006
【図５】
0003124233.tif 000007